(57)【要約】【課題】低圧分岐装置の改修に際し、電力の供給を停止することなく低圧分岐装置の改修を行えること、及び低圧分岐装置を設置する架台又は外箱のみ改修できる技術を提供することを課題とする。【解決手段】被固定物に固定された低圧分岐装置の固定時の姿勢を維持したまま前記被固定物から分離して前記低圧分岐装置を保持する低圧分岐装置の改修用装置１００であって、前記低圧分岐装置を構成する複数の回路間に挿入して該低圧分岐装置を保持する複数の棒状の保持部材１から４を有する櫛状の保持部６と、保持部６の基端部が接続され、該保持部を固定する固定部５と、を備える。【選択図】図２
2007244122.tif 000002
【特許請求の範囲】
【請求項１】
被固定物に固定された低圧分岐装置の固定時の姿勢を維持したまま前記被固定物から分離して前記低圧分岐装置を保持する低圧分岐装置の改修用装置であって、
前記低圧分岐装置を構成する複数の回路間に挿入して該低圧分岐装置を保持する複数の棒状の保持部材を有する保持部と、
前記保持部の基端部が接続され、該保持部を固定する固定部と、
を備えることを特徴とする低圧分岐装置の改修用装置。
【請求項２】
前記固定部が接続される本体部を更に備え、
前記本体部は、前記固定部が接続される固定部取付テーブルと、前記固定部取付テーブルが接続される枠体部と、前記枠体部の下部に接続され、地盤上に配置されるベース部と、を有することを特徴とする請求項１に記載の低圧分岐装置の改修用装置。
【請求項３】
前記保持部の縦位置、横位置、及び前後位置を調整する調整手段を更に備えることを特徴とする請求項１又は請求項２に記載の低圧分岐装置の改修用装置。
【請求項４】
前記複数の棒状の保持部材は、基端部から先端にかけての一部に前記低圧分岐装置を載置するための凹み部を有することを特徴とする請求項１から請求項３のいずれかに記載の低圧分岐装置の改修用装置。
【請求項５】
前記固定部は、前記複数の棒状の保持部材の基端部が挿入される縦方向又は横方向の少なくともいずれか一方に所定の間隔で形成された孔部を有することを特徴とする請求項１から請求項４のいずれかに記載の低圧分岐装置の改修用装置。
【請求項６】
請求項１から請求項５のいずれかに記載の低圧分岐装置の改修用装置とともに用いられ、前記低圧分岐装置を構成する複数の回路を横方向において仮固定する仮固定具であって、
前記複数の回路を支持する支持部と、
前記低圧分岐装置の改修用装置の複数の棒状の保持部と接触する台座部と、
を備えることを特徴とする仮固定具。
【請求項７】
請求項１から請求項５のいずれかに記載の低圧分岐装置の改修用装置を用いた低圧分岐装置の改修方法であって、
改修する低圧分岐装置の複数の回路の型式に合わせて前記保持部を前記固定部に固定して組み立て、
前記複数の回路を横方向において仮固定する仮固定具を前記複数の回路に固定し、
改修する低圧分岐装置の回路間に前記複数の棒状の保持部材を挿入して、前記仮固定部材と接触させ、
前記低圧分岐装置を被固定物に固定している固定具を取り外して前記低圧分岐装置の改修用装置により前記低圧分岐装置を保持し、
前記低圧分岐装置を所定の固定具により該低圧分岐装置の姿勢を維持したまま固定可能な新規被固定物に固定し、
前記複数の棒状の保持部材を前記低圧分岐装置から分離する、ことを特徴とする低圧分岐装置の改修方法。
【発明の詳細な説明】
【技術分野】
【０００１】
本発明は、低圧分岐装置の改修技術に関する。すなわち、低圧分岐装置を改修する装置、低圧分岐装置を改修する際に用いる工具、及び低圧分岐装置の改修方法に関する。
【背景技術】
【０００２】
変圧器によって低電圧化された１００Ｖ又は２００Ｖの電圧を分岐して家庭等に供給する装置として低圧分岐装置が知られている（例えば、特許文献１参照）。このような低圧分岐装置は、地上又はハンドホール内に配置される。低圧分岐装置が地上に配置される場合には、低圧分岐装置は外箱に収容されて配置される。一方、低圧分岐装置がハンドホールと呼ばれる地下孔に配置される場合には、低圧分岐装置は金属製の架台に取り付けられるのが一般的である。
【特許文献１】実開平０４−１３６号公報
【発明の開示】
【発明が解決しようとする課題】
【０００３】
ハンドホール内は、周囲環境が高温多湿である。したがって、ハンドホール内に配置された低圧分岐装置は、比較的早い年数で不良を生じることが多く、不良による停電事故が懸念される。そして、このような場合の不良は、その多くが架台の腐食が進行したことによるものであり、低圧分岐装置を構成する母線や接続端末等の回路の劣化は進んでいないことが多い。このような場合、現状の方法では、まず、低圧分岐装置への電力供給を完全停止する。そして、電力供給を停止した上で劣化の進行が見られない回路も含めて架台とともに全て取り替えることが行われている。
【０００４】
電力の供給を停止することは社会的影響も大きい。したがって、電力の供給を停止することなく低圧分岐装置の改修が行えることが望まれていた。また、架台の腐食が進行している場合であっても、回路の腐食が見られない場合が多い。したがって、架台のみを取り替えできることが望まれていた。
【０００５】
また、地上の外箱内に低圧分岐装置を固定した場合にも、外箱の腐食は回路の腐食に比べて早い。そして、外箱に低圧分岐装置を固定した場合にも、改修するに際しては、ハンドホール内に配置した場合と同様の問題を生じていた。すなわち、改修時の電力供給の停止をすることなく外箱のみの取り替えが行えることが望まれていた。
【０００６】
本発明は、上記問題に鑑みてなされたものである。すなわち、低圧分岐装置の改修に際し、電力の供給を停止することなく低圧分岐装置の改修を行えること、及び低圧分岐装置を設置する架台又は外箱のみ取り替えできる技術を提供することを課題とする。
【課題を解決するための手段】
【０００７】
本発明では、上記の課題を解決するため、以下の手段を採用した。すなわち、被固定物に固定された低圧分岐装置の固定時の姿勢を維持したまま前記被固定物から分離して前記低圧分岐装置を保持する低圧分岐装置の改修用装置であって、前記低圧分岐装置を構成する複数の回路間に挿入して該低圧分岐装置を保持する複数の棒状の保持部材を有する保持部と、前記保持部の基端部が接続され、該保持部を固定する固定部と、を備えることを特徴とする低圧分岐装置の改修用装置。
【０００８】
本発明に係る低圧分岐装置の改修用装置によれば、架台又は外箱などの被固定物に固定された低圧分岐装置の固定時の姿勢を維持したまま前記架台又は外箱から分離して前記低
圧分岐装置を保持することが可能となる。したがって、電力供給を停止させることなく低圧分岐装置の改修を行うことができる。また、本発明によれば、固定時の姿勢を維持したまま被固定物と分離できる。したがって、架台又は外箱のみの取り替えが可能となる。
【０００９】
本発明に係る低圧分岐装置の改修用装置を適用可能な低圧分岐装置としては、横並２幹線６分岐型や横並２幹線８分岐型が例示できる。横並２幹線６分岐型の低圧分岐装置は、２本の幹線を２本の母線、６本の分岐線に分岐する。また、横並２幹線６分岐型の低圧分岐装置は、２本の幹線を６本の分岐線に分岐する回路を１相とする。そして、この相は、前後方向かつ階段状に所定の間隔をもって３相により形成されている。そして、更に一番奥には、接地線が接続されるＮ相を有する。一方、横並２幹線８分岐型の低圧分岐装置は、２本の幹線を２本の母線、８本の分岐線に分岐する。また、横並２幹線８分岐型の低圧分岐装置は、２本の幹線を８本の分岐線に分岐する回路を１相とする。そして、この相は、前後方向かつ階段状に所定の間隔をもって３相により形成されている。そして、更に一番奥には、横並２幹線６分岐型の低圧分岐装置と同様に、接地線が接続されるＮ相を有する。このように、複数相を有する低圧分岐装置は、縦方向及び横方向に所定の間隔が形成されている。
【００１０】
本発明に係る低圧分岐装置の改修用装置は、前記低圧分岐装置を構成する複数の回路間に挿入して該低圧分岐装置を保持する保持部を備える。保持部は、複数の棒状の保持部材を有する。この棒状の保持部材を前記複数の回路間に挿入することで、前記保持部は前記低圧分岐装置を保持することができる。回路間とは、回路を構成する分岐線接続端末と分岐線接続端末との間隔を意味する。分岐線接続端末と分岐線接続端末との間に形成される所定の間隔に前記保持部の棒状の保持部材を挿入することで、前記低圧分岐装置を保持することが可能となる。なお、複数相を有する低圧分岐装置においては、縦方向及び横方向に所定の間隔が形成されている。したがって、この場合には、縦方向及び横方向に所定の間隔で形成される間隔に前記保持部の棒状の保持部材を挿入する。これにより、より安定的に被固定物部に固定されていた姿勢を維持したまま低圧分岐装置を保持することが可能となる。
【００１１】
保持部の材質は特に限定されるわけではないが、低圧分岐装置を保持するのに十分な強度を有するものであることが好ましい。例えば、保持部は、金属等により形成することができる。この場合、保持部の表面には絶縁体を被覆することが好ましい。
【００１２】
固定部には、前記保持部の基端部が接続される。固定部の材質は、特に限定されない。しかし、固定部に接続された保持部が前記低圧分岐装置を保持するのに十分な強度を有するものであることが好ましい。例えば、固定部は、金属等により形成することができる。また、絶縁処理を施すことで、低圧分岐装置の改修用装置の安全性をより向上させることができる。
【００１３】
また、本発明に係る低圧分岐装置の改修用装置は、前記固定部が接続される本体部を更に備え、前記本体部は、前記固定部が接続される固定部取付テーブルと、前記固定部取付テーブルが接続される枠体部と、前記枠体部の下部に接続され、地盤上に配置されるベース部と、を有するものとすることができる。
【００１４】
本体部を備えることで、低圧分岐装置の改修作業をより迅速に行うことができる。なお、固定部取付テーブル、枠体部、及びベース部は、金属等の十分な強度を要する部材により形成することが好ましい。また、それぞれの部材の表面に絶縁体を被覆することで、安全性をより向上させることができる。
【００１５】
固定部取付テーブルは、例えば金属板により形成することができる。固定部を固定部取
付テーブルに接続する場合において、固定部は、固定取付テーブルの下部にボルト等の固定具を用いて接続することができる。すなわち、保持部を固定部取付テーブルに吊り下げる構造とすることが好ましい。改修する低圧分岐装置の回路は、複数の分岐線接続端末の先にケーブルが接続されている。そして、そのケーブルは、通常下向きに垂れ下がっていることが多い。したがって、接続部を吊構造とすることで、ケーブルを折り曲げることなく作業を行うことができる。
【００１６】
なお、固定部取付テーブルと、固定部との間には、吊部を形成してもよい。すなわち、棒状の吊部材を介して固定部取付テーブルと固定部とを接続してもよい。吊部の上部を上述した固定部取付テーブルの下部に接続する。そして、吊部の下部に上述した固定部を接続する。これにより、地下孔に配置された低圧分岐装置、すなわちハンドホール内に固定された低圧分岐装置を改修する場合にも適用することが可能となる。吊部は、例えば金属製の長尺部材により形成することができる。また、吊部には、固定用の孔を所定の間隔で複数形成することができる。この孔にボルトなどの固定部材を挿入することで、吊部と上述した固定部と接続することができる。また、固定に用いる孔の位置を変更することで固定部の縦位置を調整することができる。なお、吊部の長さは特に限定されない。例えば、ハンドホール内に固定された低圧分岐装置を改修する場合には、ハンドホールの深さと同じ程度の吊部材を装着することが好ましい。これにより、ハンドホール内に固定された低圧分岐装置を保持することができる。
【００１７】
枠体部は、少なくとも２本の柱部材と該柱を連結する梁部材とにより構成することができる。柱部材と梁部材との結合は、ボルトなどの固定部材により行うことができる。これにより、分解することが可能となり、運搬が容易となる。
【００１８】
ベース部は、低圧分岐装置を保持した際に、低圧分岐装置の改修用装置を地盤上で支持する。したがって、優れた安定性を有する構成であることが好ましく、例えば十分な平面積を有する板状部材により形成することができる。また、前方向を開放した略コ字状とすることがより好ましい。これにより、保持部を吊構造とした場合において、前方向を開放することで、作業性を向上させることができる。なお、前方向とは、保持部が配置される方向を意味する。
【００１９】
本発明に係る低圧分岐装置の改修用装置は、前記保持部の縦位置、横位置、及び前後位置を調整する調整手段を更に備える構成とすることができる。調整手段を備えることで、低圧分岐装置の改修作業の効率を向上させることができる。
【００２０】
また、本発明に係る低圧分岐装置の改修用装置において、前記複数の棒状の保持部材は、基端部から先端にかけての一部に前記低圧分岐装置を載置するための凹み部を有することが好ましい。凹み部を形成することで、保持部に低圧分岐装置を載置した際の安定性をより向上させることができる。また、前記保持部は、先端部に凸部を形成することが好ましい。前記凸部を形成することで低圧分岐装置を保持部に載置後、この低圧分岐装置の端部が凸部に引っ掛かり、脱落を防止することができる。
【００２１】
また、本発明に係る低圧分岐装置の改修用装置において、前記固定部は、前記複数の棒状の保持部材の基端部が挿入される縦方向又は横方向の少なくともいずれか一方に所定の間隔で形成された孔部を有する構成とすることができる。
【００２２】
孔部に棒状の保持部材の端部を挿入する構成とすることで、型式の異なる低圧分岐相への対応が可能となる。すなわち、孔部を必要に応じて予め複数形成しておく。これにより、孔部の位置を調整することで、保持部の位置を調整することが可能となる。例えば、固定部として一枚の平板部材を用い、これに所定の間隔で縦方向及び横方向に規則的に孔部
を形成する。一枚の平板部材とすることで部品点数を削減することができるとともに、型式の異なる低圧分岐相への対応が可能となる。
【００２３】
また、本発明は、上述した低圧分岐装置の改修用装置とともに用いられ、前記低圧分岐装置を構成する複数の回路を横方向において仮固定する仮固定具であって、前記複数の回路を支持する支持部と、前記低圧分岐装置の改修用装置の複数の棒状の保持部と接触する台座部と、を備えることを特徴とする。
【００２４】
上述した低圧分岐装置の改修用装置を用いて低圧分岐装置の改修を行う際に、本発明に係る仮固定具を用いて低圧分岐装置を構成する複数の回路を横方向において仮固定する。これにより、架台や外箱から分離しても分離前の状態、すなわち固定時の姿勢を維持することができる。また、仮固定具の底面は、上述した保持部に接触させる。その結果、仮固定具の底面で上述した保持部により支持されることになる。したがって、より安定的に低圧分岐装置を保持することが可能となる。
【００２５】
支持部は、分岐線接続端末の端部に設けられたボスの形状に合わせて形成することが好ましい。このようにすることで、各相を構成する分岐線接続端末同士、すなわち横方向の分岐線接続端末同士を効果的に仮固定することができる。また、仮固定具の下面には、上述した保持部と接触する台座部を形成することが好ましい。台座部は、例えばゴム素材等で形成することが好ましい。これにより、低圧分岐装置の保持をより安定的に行うことができる。また、台座部が緩衝材として機能することで、作業時における低圧分岐装置への外部からの衝撃を減少させることができる。
【００２６】
また、本発明は上述した低圧分岐装置の改修用装置を用いた低圧分岐装置の改修方法であって、改修する低圧分岐装置の複数の回路の型式に合わせて前記保持部を前記固定部に固定して組み立て、前記複数の回路を横方向において仮固定する仮固定具を前記複数の回路に固定し、改修する低圧分岐装置の回路間に前記複数の棒状の保持部材を挿入して、前記仮固定部材と接触させ、前記低圧分岐装置を被固定物に固定している固定具を取り外して前記低圧分岐装置の改修用装置により前記低圧分岐装置を保持し、前記低圧分岐装置を所定の固定具により該低圧分岐装置の姿勢を維持したまま固定可能な新規被固定物に固定し、前記複数の棒状の保持部材を前記低圧分岐装置から分離する、ことを特徴とする。
【発明の効果】
【００２７】
本発明によれば、電力の供給を停止することなく低圧分岐装置の改修を行うことができる。また、低圧分岐装置を設置する架台又は外箱のみ取り替えることができる。
【発明を実施するための最良の形態】
【００２８】
次に、本発明に係る低圧分岐装置の改修用装置の実施形態について図面に基づいて説明する。
【実施例１】
【００２９】
図１は、第１の実施形態に係る低圧分岐装置の改修用装置１００の保持部６の拡大斜視図である。図２は、第１の実施形態に係る低圧分岐装置の改修用装置１００の全体を示す斜視図である。また、図３Ａは、第１の実施形態に係る低圧分岐装置の改修用装置１００の保持部の正面図である。図３Ｂは、第１の実施形態に係る低圧分岐装置の改修用装置１００の保持部の側面図である。第１の実施形態に係る低圧分岐装置の改修用装置１００は、低圧分岐装置２００（図４Ａ参照）を保持する棒状の保持部材１から４が縦方向に所定の間隔で櫛状に接続された櫛状の保持部６を備える。そして、この櫛状の保持部６が横方向に所定の間隔で４基並列に配置されている。そして、４基並列に配置された櫛状の保持部材６は、所定の間隔をもって３段に配置された棒状の固定部５とほぼ直角に固定されて
いる。なお、櫛状の保持部６を構成する保持部材１から４の縦方向における所定の間隔、及び櫛状の保持部６同士の横方向の所定の間隔、及び保持部材１から４の長さは、改修する低圧分岐装置２００の型式に基づいて設計されている。
【００３０】
ここで、本実施形態に係る低圧分岐装置の改修用装置１００で改修する低圧分岐装置２００について説明する。図４Ａは、低圧分岐装置２００の正面図である。図４Ｂは、低圧分岐装置２００の側面図である。低圧分岐装置２００は、横並２幹線６分岐型とよばれるものである。低圧分岐装置２００は、２本の幹線を２本の母線、６本の分岐線に分岐する。また、母線に接続された６つの分岐線接続端末５１は、幹線に接続された２つの幹線接続端末５０の両側に３つずつ所定の間隔で配置されている。そして、これら横方向に配置された６つの分岐線接続端末５１と２つの幹線接続端末で１つの相を形成している。更に、この相は前後方向に一番上の相が最も手前に突出するように階段状に３相形成されている。そして一番奥には、接地線が接続される接地線接続端末５４が形成され、Ｎ相を形成している。
【００３１】
上述した櫛状の保持部６の棒状の保持部材１から４の縦方向の所定の間隔、及び櫛状の保持部６同士の横方向における所定の間隔は、上記低圧分岐装置２００の型式により決定されるものである。したがって、本実施形態において、上記の所定の間隔は、低圧分岐装置２００の分岐線接続端末５１同士の間隔及び各相ごとの間隔に合わせて設計されている。そして、分岐線接続端末５１同士の間に形成される間隔に、櫛状の保持部材６の棒状の保持部材１から４を挿入することが可能となる。なお、低圧分岐装置２００において、分岐線接続端末５１同士のの間隔は、１つの相につき４つ形成される。そして、低圧分岐装置２００は、３つの相により構成されている。すなわち、Ｎ相を加え合計１６の分岐線接続端末５１同士および接地線接続端末５４同士の間隔が存在する。以上により、本実施形態において、保持部６の棒状の保持部材１から４は合計１６本とした。図５は、櫛状の保持部６の棒状の保持部材１から４を上記分岐線接続端末５１同士の間隔に挿入した状態を示す。図５Ａは正面図であり、図５Ｂは側面図である。
【００３２】
なお、櫛状の保持部６は、スチールにより形成した。そして、櫛状の保持部６の保持部材１から４の表面にゴム材料からなる絶縁体を形成した。これにより、改修作業時の安全を確保することができる。また、本実施形態においては、棒状の保持部材１から４は、保持部６の側面に溶接により櫛状に接続したがこれに限定されるわけではない。保持部材１から４の基端部が挿入される孔部を形成し、形成した孔部に保持部材１から４の基端部を挿入して固定してもよい。また、棒状の保持部材１から４の上部には、凹み部を形成した。これにより、低圧分岐装置２００を保持する場合に、保持状態の安定性をより向上させることができる。
【００３３】
ここで、図２に戻って説明する。３段に配置された固定部５は、ほぼ垂直に配置された２本のパイプからなる吊部２６に固定されている。そして、吊部２６の上部は、固定部取付テーブル２５の下部に固定されている。固定部取付テーブル２５は、枠体部２８に縦方向に稼動自在に接続されている。固定部取付テーブル２５は、縦位置調整ハンドル３１により位置を調整することができる。なお、吊部２６は、固定部取付テーブル２５の下部に横方向及び前後方向に稼動自在に接続されている。したがって、吊部２６は、固定部取付テーブル２５の平面領域内で横方向及び前後方向に位置の微調整を行うことができる。なお、これらの微調整は、横位置微調整ハンドル２４と、前後位置微調整ハンドル２３とにより行うことができる。
【００３４】
枠体部２８は、スチール製の２本の柱部材２８ａとスチール製の梁部材２８ｂとにより形成されている。枠体部２８の高さ及び幅は、改修する低圧分岐装置２００及び低圧分岐装置２００が固定されている場所に基づいて設計することが好ましい。本実施形態におい
ては、枠体部２８の高さは、ハンドホールの深さと同程度とした。また、吊部２６は枠体部２８よりも短く設計した。このような構成とすることで、保持部６をハンドホール内に降下させることができる。その結果、地上に配置した低圧分岐装置２００の改修用装置１００から、ハンドホール内に固定された低圧分岐装置２００を改修することが可能となる。
【００３５】
枠体部２８は、ベース部２７に固定される。本実施形態において、ベース部２７は、スチール製の前方向を開放した略コ字状形状とした。また、開放部の先端には、アウトリガ３０が形成されている。使用時においては、このアウトリガ３０を張り出すことにより、低圧分岐装置の改修用装置１００の安定性をより向上させることができる。更に、本実施形態において、枠体部２７の角部及びアウトリガ３０の先端部には、ストッパ付キャスタ２２が設けられている。これにより、低圧分岐装置の改修用装置１００の移動が容易となる。また、ストッパ付キャスタ２２と枠体部２７及びアウトリガ３０の間には、縦位置微調整部２９が設けられている。縦位置微調整部２９は、縦位置微調整部２９の上部に設けられた縦位置微調整ハンドル２１により操作することができる。これにより、低圧分岐装置の改修用装置１００の水平度を調整することができる。
【００３６】
以上、第１の実施形態に係る低圧分岐装置の改修用装置１００によれば、低圧分岐装置の複数の回路、すなわち分岐線接続端末５１等を固定時の姿勢を維持したまま保持することができる。したがって、電力の供給を停止することなく低圧分岐装置の改修、換言すると被固定物の取替え作業を行うことができる。また、本実施形態に係る低圧分岐装置の改修用装置１００は、吊部を備えることで地上に配置された低圧分岐装置の他、ハンドホール内に配置された低圧分岐装置の改修も行うことができる。すなわち、地上においての外箱の取替え作業及びハンドホール内の架台の取替え作業を電力の供給を停止することなく行うことができる。
【実施例２】
【００３７】
次に第２の実施形態に係る低圧分岐装置の改修用装置１０１について図面に基づいて説明する。図６Ａは、第２の実施形態に係る低圧分岐装置の改修用装置１０１の保持部６の正面図である。図６Ｂは、第２の実施形態に係る低圧分岐装置の改修用装置１０１で改修する低圧分岐装置２０１の正面図である。また、図７は、第２の実施形態に係る低圧分岐装置の改修用装置１０１の全体を示す斜視図である。なお、第１の実施形態に係る低圧分岐装置の改修用装置１００と同様の構成ついては、同一の符号を付すことでその詳細な説明を省略する。
【００３８】
第２の実施形態に係る低圧分岐装置の改修用装置１０１と第１の実施形態に係る低圧分岐装置の改修用装置１００とは、櫛状の保持部６同士の所定の間隔が異なる。すなわち、第１の実施形態に係る低圧分岐装置の改修用装置１００は、横並２幹線６分岐型である低圧分岐装置２００の改修用に櫛状の保持部６の位置を設定した。これに対し、本実施形態に係る低圧分岐装置の改修用装置１０１は、横並２幹線８分岐型である低圧分岐装置２０１の改修用に櫛状の保持部６の位置を設定した。
【００３９】
低圧分岐装置２０１は、２本の幹線を２本の母線、８本の分岐線に分岐する。また、８つの分岐線接続端末５１は、２つの幹線接続端末５０の両側に４本ずつ所定の間隔で配置されている。そして、これら横方向に配置された８つの分岐線接続端末５１と２つの幹線接続端末で１つの相を形成している。更に、この相は前後方向に一番上の相が最も手前に突出するように階段状に３相形成されている。そして一番奥には、接地線が接続される接地線接続端末５４が接続されるＮ相を有する構成となっている。
【００４０】
本実施形態において、櫛状の保持部６の配置は、最も外側に位置する分岐線接続端末５
１とこれより一つ内側に位置する分岐線接続端末５１との間、及び更に一つ内側に位置する分岐線接続端末５１とこれより一つ内側に位置する分岐線接続端末５１との間に棒状の保持部材１から４が挿入できるよう設計されている。このような配置構成とすることで効率よく低圧分岐装置２０１を保持することができる。なお、このような櫛状の保持部６の配置変更は、固定部５の孔の位置を変更するだけで行うことができる。すなわち、改修する低圧分岐装置の型式が異なる場合であっても、低圧分岐装置の改修作業は、櫛状の保持部６の配置を変更するだけで行うことができる。
【００４１】
また、第２の実施形態に係る低圧分岐装置の改修用装置１０１は、第１の実施形態に比べて短い吊部２６を使用している。このような構成とすることで、地上に配置された外箱内に固定された低圧分岐装置の改修に適したものとなる。なお、本実施形態においては、吊部２６の長さのみ変更した。すなわち、枠体部２８やベース部２７は、第１の実施形態に係る低圧分岐装置の改修用装置と同じものを用い、一台の装置の汎用性を高める構成とした。しかし、例えば地上に設置された外箱内に固定された低圧分岐装置の改修専用とすることもできる。この場合には、例えば枠体部の高さを必要に応じて低くしてもよい。これにより、装置の小型化を図ることができる。
【００４２】
以上より、第２の実施形態に係る低圧分岐装置の改修用装置１０１によれば、外箱内に固定された低圧分岐装置２０１の複数の回路、すなわち分岐線接続端末５１等の固定状態を維持したまま保持することができる。その結果、電力の供給を停止することなく低圧分岐装置の改修、換言すると外箱の取替え作業を行うことができる。
【実施例３】
【００４３】
次に、第１の実施形態に係る低圧分岐装置の改修用装置１００を用いた、低圧分岐装置の回収方法について図面を参照しながら説明する。なお、ハンドホール内に固定された低圧分岐装置２００を改修する方法について説明する。
【００４４】
まず、改修する低圧分岐装置２００の型式に合わせて櫛状の保持部６を固定部５に固定して組み立てる。固定部取付テーブル２５に吊部２６を固定する。この際、アウトリガ３０は完全に張り出していることが好ましい。また、パイプからなる吊部２６の上部及び下部にくさびを設けてもよい。これにより、保持部６が前のめりになることを防止することができる。
【００４５】
次に、低圧分岐装置２００に取り付けられている部品のうち、所定の部品を取り外す。所定の部品には、分岐線接続端末５１に設けられているホースバンド、クリート、架台接地線、引抜防止金具等が例示できる。なお、ホースバンドは、棒状の保持部材１から４が挿入される箇所について挿入の妨げとならない方向にずらせばよい。クリートは、押さえ側のクリートを蝶ねじを外して取り外す。
【００４６】
次に低圧分岐装置２００の横方向外側に位置する分岐線接続端末５１の側面に側面キャップ７０を取り付ける。図８Ａに側面キャップの上面図、図８Ｂに側面キャップの側面図を示す。図８Ａに示すように、側面キャップ７０は、板状の胴部７１と、胴部７１の一端側に形成された結束バンド固定用孔部７２と、胴部７１の他端側に形成され、分岐線接続端末５１の一部と接続する接続部７４と、を備える。接続部７４は、分岐線接続端末５１の側面と接続可能な形状となっている。すなわち、略円形のキャップであって、キャップの内壁面には分岐線接続端末５１の一部と接触する係合片７３が相対するように形成され、キャップの中心部にはキャップの軸方向に向かって突出した突出部７５が形成されている。なお、図９は、分岐線接続端末５１の側面に側面キャップ７０を固定する状態を示す。
【００４７】
次に、複数の分岐線接続端末５１を横方向において仮固定する仮固定部４０を複数の分岐線接続端末５１に固定する。図１０Ａは仮固定部４０の正面図であり、図１０Ｂは図１０ＡのＡ−Ａ断面図である。仮固定具４０は、低圧分岐装置２００の横方向の長さとおよそ半分の長さの長尺部材４０ａ、４０ｂにより形成されている。また、この長尺部材４０ａ、４０ｂは、中央付近で分離可能となっている。また、仮固定具４０の背面には、複数の分岐線接続端末５１のボス５７（図１１Ｂ参照）を支持する断面がコ字状のボス係合部４３が形成されている。また、仮固定具４０の下面には、棒状の保持部６の上面と接触する台座４２が形成されている。なお、台座は、例えばゴム素材等で形成することが好ましい。これにより、低圧分岐装置の保持をより安定的に行うことができる。また、緩衝材として機能することで、作業時における低圧分岐装置２００への外部からの衝撃を減少させることができる。更に、長尺部材４０ａ、４０ｂの外側の端部には、先端に返し部が形成された棒状の結束バンド固定部４５が形成されている。上述した側面キャップ７０の結束バンド固定用孔部７２に結束バンド５９（図１１Ｃ参照）を通し、結束バンド固定部４５と固定する。これにより、各相を形成する複数の分岐線接続端末５１を横方向において固定することができる。
【００４８】
ここで、上述した仮固定部４０の固定手順を図面に基づいて説明する。すなわち、図１１Ａに示すように、長尺部材４０ａと長尺部材４０ｂとを接続して仮固定具４０を組み立てる。次に、図１１Ｂに示すように、分岐線接続端末５１のボス５７に仮固定具４０のボス係合部４３を係合する。そして、図１１Ｃに示すように、側面キャップ７０の結束バンド固定用孔部７２と仮固定部４５とを結束バンド５９により結束する。なお、長尺部材４０は、一番手前に位置する相、すなわち一番上に位置する相を形成する分岐線接続端末５１から順に固定することが好ましい。
【００４９】
次に、必要に応じて分岐線接続端末５１を架台に取り付けているボルトを緩める。予めボルトを緩めることで、後の作業が容易となる。なお、ボルト６４（図１２参照）を緩める作業は、所定の工具を用いて行う。所定の工具には、保持部がＴ字の長尺六角レンチ８０が例示できる。なお、図１２は、架台用取付ボルトを緩める作業状態を示す。
【００５０】
次に、低圧分岐装置の改修用装置１００をハンドホールを跨ぐように配置する。ベース部２７に接地線を取り付け、縦位置微調整ハンドル２１により水平度を調整する。低圧分岐装置の改修用装置１００の位置決めが完了後、固定部取付テーブル２５を降下させ、櫛状の保持部６をハンドホール内の所定の高さまで降ろす。図１３に、櫛状の保持部６をハンドホール内の所定の高さまで降ろした状態を示す。
【００５１】
次に、改修する低圧分岐装置２００の複数の回路間、すなわち分岐線接続端末５１同士の間に棒状の保持部材１から４を挿入して、仮固定部材４０と接触させる。図１４Ａは、低圧分岐装置２００に櫛状の保持部６を挿入した状態を示す斜視図を示す。また、図１４Ｂは櫛状の保持部６の棒状の保持部材１が分岐線接続端末５１を保持する状態を示す側面図である。その後櫛状の保持部６を僅かに上昇させ、棒状の保持部材１から４と仮固定部材４０とを接触させる。
【００５２】
次に、低圧分岐装置２００を架台３００に固定している固定具を所定の取り外し工具を用いて取り外して低圧分岐装置の改修用装置１００により低圧分岐装置２００を保持する。所定の工具には、上述した長尺六角レンチ８０や位置決め工具６０（図１６参照）が例示できる。全ての固定具の取り外しが完了すると、低圧分岐装置２００の全荷重は、櫛状の保持部６で保持されることになる。
【００５３】
櫛状の保持部６で低圧分岐装置２００が保持されていることを確認後、上述した前後位置微調整ハンドル２３により、櫛状の保持部６を後退させる。これにより、低圧分岐装置
２００は、架台３００から分離される。図１５に、低圧分岐装置２００を架台３００から分離した状態を示す。なお、同図では説明上低圧分岐装置２００と架台３００との間に十分な距離が形成されている。しかし、実際には、前後位置微調整ハンドル２３で調整可能な範囲でよい。したがって、低圧分岐装置の改修用装置１００の固定位置自体は、移動する必要はない。具体的には、架台３００がハンドホールにインサート固定されている場合には３ｃｍ程度分離させればよい。また、アンカーボルトにより架台３００がハンドホールに固定されている場合には、アンカーボルトを外せる程度分離すればよい。その後、架台３００を取り外して新しい架台３０１と交換する。
【００５４】
次に、低圧分岐装置２００を所定の取付工具を用いて所定の固定具により新規架台３０１に固定する。まず、前後位置微調整ハンドル２３により、櫛状の保持部６を前進させ、新規架台３０１に接触させる。その後、所定の取付工具、及び所定の固定具により新規架台３０１に固定する。所定の取付工具には、長尺六角レンチ８０や位置決め工具６０が例示される。また、所定の固定具には、取付金具６２が例示できる。なお、図１６は、所定の取付工具及び所定の取付金具を用いて、新規架台３０１に低圧分岐装置２００を固定する状態を示す。同図に示すように、位置決め工具６０により取付金具６２の位置決めをし、取付金具６２の一方の孔部６３にボルト６４を挿入する。その後、長尺六角レンチ８０により、ボルト６４を固定する。以上の作業を繰り返し行うことで、低圧分岐装置２００を新規架台３０１へ取り付ける作業を終了する。
【００５５】
次に、櫛状の保持部６を低圧分岐装置２００から引き抜いて分離する。この作業は、前後位置微調整ハンドル２３や低圧分岐装置の改修用装置１００を後退させることで行う。その後、結束バンド５９、仮固定具４０、及び側面キャップ７０を取り外す。更に、取り外した所定の部品、すなわちホースバンド、クリート、架台接地線、引抜防止金具等を取り付けて低圧分岐装置２００の改修作業を終了する。
【００５６】
以上の方法によれば、ハンドホール内に固定された低圧分岐装置２００の複数の回路の固定状態を維持したまま低圧分岐装置２００の改修作業、すなわち架台３００の取り替えを行うことができる。また、低圧分岐装置２００の複数の回路の固定状態を維持したまま低圧分岐装置２００の改修作業を行うことができるので、電力の供給を停止することなく改修作業を行うことができる。また、従来に比べ作業効率が上がり、低圧分岐装置２００の複数の回路は流用することができる。その結果、コスト削減を図ることもできる。
【実施例４】
【００５７】
次に第２の実施形態に係る低圧分岐装置の改修用装置１０１を用いた、低圧分岐装置２０１の回収方法について説明する。なお、地上の外箱内４００（図１７参照）に固定された低圧分岐装置２０１を改修する方法について説明する。また、実施例３に係る方法と同様の手順については、説明を簡略化する。
【００５８】
まず、外箱４００の扉、支柱、前面ベース、左右工具箱を取り外す。次に、改修する低圧分岐装置２０１の複数の回路の型式に合わせて櫛状の保持部６を固定部５に固定して組み立てる。すなわち、低圧分岐装置２０１は、横並２幹線８分岐型である。したがって、これに合わせて櫛状の保持部６を固定部５に固定して組み立てる。
【００５９】
次に実施例３に係る方法と同様に、低圧分岐装置２０１に取り付けられている所定の部品を取り外す。所定の部品には、分岐線接続端末５１に設けられているホースバンド、クリート、架台接地線、引抜防止金具等が例示できる。次に、低圧分岐装置２０１の横方向外側に位置する分岐線接続端末５１の側面に側面キャップ７０を取り付ける。その後、複数の分岐線接続端末５１を横方向において仮固定する仮固定部４０を複数の分岐線接続端末５１に固定する。
【００６０】
次に、改修する低圧分岐装置２０１の回路間、すなわち分岐線接続端末５１同士の隙間に櫛状の保持部６の複数の棒状の保持部材１から４を挿入して、仮固定部材４０と接触させる。その後、低圧分岐装置２０１を外箱４００内に固定している固定具を所定の取り外し工具を用いて取り外して低圧分岐装置の櫛状の保持部６により低圧分岐装置２０１を保持する。櫛状の保持部６で低圧分岐装置２０１が保持されていることを確認後、上述した前後位置微調整ハンドル２３により、櫛状の保持部６を後退させる。これにより、低圧分岐装置２０１は、外箱４００から分離される。図１７に、低圧分岐装置２０１を外箱４００から分離した状態を示す。
【００６１】
その後、外箱４００を新規外箱４０１に取替え、低圧分岐装置２０１を所定の取付工具を用いて所定の固定具により新規外箱４０１内に固定する。その後、櫛状の保持部６を低圧分岐装置２０１から引き抜いて分離する。次に、結束バンド５９、仮固定具４０、及び側面キャップ７０を取り外す。更に、取り外した所定の部品、すなわちホースバンド、クリート、架台接地線、引抜防止金具等を取り付ける。最後に外箱４０１の扉、支柱、前面ベース、左右工具箱を取り付けて低圧分岐装置２０１の改修作業を終了する。
【００６２】
以上の方法によれば、外箱４００内に固定された低圧分岐装置２０１の複数の回路の固定状態を維持したまま低圧分岐装置２０１の改修作業、すなわち外箱４００の交換を行うことができる。また、低圧分岐装置２０１の複数の回路の固定状態を維持したまま低圧分岐装置２０１の改修作業を行うことができるので、電力の供給を停止することなく改修作業を行うことができる。また、従来に比べ作業効率が上がり、低圧分岐装置２０１の複数の回路は流用することができる。その結果、コスト削減を図ることもできる。
【００６３】
以上、本発明の好適な実施形態を説明したが、本発明に係る低圧分岐装置の改修用装置及び低圧分岐装置の改修方法はこれらに限らず、可能な限りこれらの組合せを含むことができる。
【図面の簡単な説明】
【００６４】
【図１】第１の実施形態に係る低圧分岐装置の改修用装置１００の保持部６の拡大斜視図である。
【図２】第１の実施形態に係る低圧分岐装置の改修用装置１００の全体を示す斜視図である。
【図３Ａ】第１の実施形態に係る低圧分岐装置の改修用装置１００の保持部６の正面図である。
【図３Ｂ】第１の実施形態に係る低圧分岐装置の改修用装置１００の保持部６の側面図である。
【図４Ａ】低圧分岐装置２００の正面図である。
【図４Ｂ】低圧分岐装置２００の側面図である。
【図５Ａ】棒状の保持部材１から４を分岐線接続端末５１同士の間隔に挿入した状態を示す正面透視図である。
【図５Ｂ】棒状の保持部材１から４を分岐線接続端末５１同士の間隔に挿入した状態を示す側面図である。
【図６Ａ】第２の実施形態に係る低圧分岐装置の改修用装置１０１の保持部６の正面図である。
【図６Ｂ】第２の実施形態に係る低圧分岐装置の改修用装置１０１で改修する低圧分岐装置２０１の正面図である。
【図７】第２の実施形態に係る低圧分岐装置の改修用装置１０１の全体を示す斜視図である。
【図８Ａ】側面キャップの上面図である。
【図８Ｂ】側面キャップの側面図を示す。
【図９】分岐線接続端末５１の側面に側面キャップ７０を固定する状態を示す。
【図１０Ａ】仮固定部４０の正面図である。
【図１０Ｂ】図１０ＡのＡ−Ａ断面図である。
【図１１Ａ】長尺部材４０ａと長尺部材４０ｂとを接続して仮固定具４０を組み立てる状態を示す図である。
【図１１Ｂ】分岐線接続端末５１のボス５７に仮固定具４０のボス係合部４３を係合する状態を示す図である。
【図１１Ｃ】側面キャップ７０の結束バンド固定用孔部７２と仮固定部４５とを結束バンド５９により結束する状態を示す図である。
【図１２】架台用取付ボルトを緩める作業状態を示す。
【図１３】櫛状の保持部６をハンドホール内の所定の高さまで降ろした状態を示す図である。
【図１４Ａ】低圧分岐装置２００に櫛状の保持部６を挿入した状態を示す斜視図を示す。
【図１４Ｂ】櫛状の保持部６の棒状の保持部材１が分岐線接続端末５１を保持する状態を示す側面図である。
【図１５】低圧分岐装置２００を架台３００から分離した状態を示す図である。
【図１６】所定の取付工具及び所定の取付金具を用いて、新規架台３０１に低圧分岐装置２００を固定する状態を示す図である。
【図１７】低圧分岐装置２０１を外箱４００から分離した状態を示す図である。
【符号の説明】
【００６５】
１〜４・・・保持部材
５・・・固定部
６・・・櫛状の保持部
２１・・・縦位置調整ハンドル
２２・・・ストッパ付キャスタ
２３・・・前後位置微調整ハンドル
２４・・・横位置微調整ハンドル
２５・・・固定部取付テーブル
２６・・・吊部
２７・・・ベース部
２８・・・枠体部
２９・・・縦位置微調整部
３０・・・アウトリガ
４０・・・仮固定部
４２・・・台座
４３・・・ボス係合部
４５・・・結束バンド固定部
５０・・・幹線接続端末
５１・・・分岐線接続端末
５４・・・接地線接続端末
５７・・・ボス
６０・・・位置決め工具
６２・・・取付金具
６３・・・孔部
６４・・・ボルト
７０・・・側面キャップ
７１・・・胴部
７２・・・結束バンド固定用孔部
７３・・・係合片
７４・・・接続部
７５・・・突出部
８０・・・長尺六角レンチ
１００、１０１・・・低圧分岐装置の改修用装置
２００、２０１・・・低圧分岐装置
３００、３０１・・・架台
４００、４０１・・・外箱
【図１】
2007244122.tif 000003
【図２】
2007244122.tif 000004
【図３Ａ】
2007244122.tif 000005
【図３Ｂ】
2007244122.tif 000006
【図４Ａ】
2007244122.tif 000007
【図４Ｂ】
2007244122.tif 000008
【図５Ａ】
2007244122.tif 000009
【図５Ｂ】
2007244122.tif 000010
【図６Ａ】
2007244122.tif 000011
【図６Ｂ】
2007244122.tif 000012
【図７】
2007244122.tif 000013
【図８Ａ】
2007244122.tif 000014
【図８Ｂ】
2007244122.tif 000015
【図９】
2007244122.tif 000016
【図１０Ａ】
2007244122.tif 000017
【図１０Ｂ】
2007244122.tif 000018
【図１１Ａ】
2007244122.tif 000019
【図１１Ｂ】
2007244122.tif 000020
【図１１Ｃ】
2007244122.tif 000021
【図１２】
2007244122.tif 000022
【図１３】
2007244122.tif 000023
【図１４Ａ】
2007244122.tif 000024
【図１４Ｂ】
2007244122.tif 000025
【図１５】
2007244122.tif 000026
【図１６】
2007244122.tif 000027
【図１７】
2007244122.tif 000028